(57)【要約】      （修正有）【課題】部品の交換を伴わずに側圧の微調整を可能としたヘッドホンを提供する。【解決手段】ヘッドホン１は、使用者の頭部に対応して湾曲する形状を有する板ばね６０と、板ばね６０の両端側にそれぞれ設けられ音源ユニットを収納する一対のハウジング２と、各ハウジングに取付けられたイヤーパッド３と、板ばね６０の外側に配置され板ばね６０の両端の距離を調整するための調整用部材６１と、板ばね６０の外側に配置され板ばねに対する調整用部材６１の位置を調整する位置調整機構７と、を備える。【選択図】図１
2017098869.tif 000002
【特許請求の範囲】
【請求項１】
使用者の頭部に対応して湾曲する形状を有する板ばねと、
前記板ばねの両端側にそれぞれ設けられ音源ユニットを収納する一対のハウジングと、
各ハウジングに取付けられたイヤーパッドと、
前記板ばねの外側に配置され前記板ばねの両端の距離を調整するための調整用部材と、
前記板ばねの外側に配置され前記板ばねに対する前記調整用部材の位置を調整する位置調整機構と、
を備えるヘッドホン。
【請求項２】
前記位置調整機構は、
前記板ばねの外側に固定される固定部材と、
前記調整用部材に取り付けられ前記調整用部材に対して上下方向に相対移動する操作用部材と、を備える請求項１記載のヘッドホン。
【請求項３】
前記固定部材にはねじ孔が設けられ、
前記操作用部材は、前記固定部材のねじ孔にねじ込まれるねじ溝が形成されたねじ部を有し、該ねじ部が回転操作されると上下方向に移動して、前記調整用部材の位置を前記板ばねの上下方向に移動させる
請求項２記載のヘッドホン。
【請求項４】
前記位置調整機構は、前記板ばねの少なくとも一方の端部に配置されている請求項２または３に記載のヘッドホン。
【請求項５】
前記操作用部材は、
前記ねじ部の一端側に設けられ前記調整用部材の端部に取り付けられている取付部材と、
前記ねじ部の他端側に一体に形成され使用者により回転操作される操作部と、を有し、
前記取付部材は前記ねじ部に対して相対回転する
請求項４記載のヘッドホン。
【請求項６】
前記位置調整機構は、前記板ばねの長手方向における中央に配置されている請求項２又は記載のヘッドホン。
【請求項７】
前記操作用部材は、
前記ねじ部の一端側に設けられ前記調整用部材の長手方向における中央に取り付けられている取付部材と、
前記ねじ部の他端側に一体に形成され使用者により操作される操作部と、
前記ねじ部に設けられ前記調整用部材の下面に当接されるフランジ部と、
を有する請求項６記載のヘッドホン。
【請求項８】
前記板ばねと前記調整用部材との間には１以上のスペーサが介在されている
請求項１乃至７のいずれかに記載のヘッドホン。
【請求項９】
前記調整用部材は、前記板ばねの両端の距離を広げるように取り付けられている弾性部材である請求項１乃至８のいずれかに記載のヘッドホン。
【請求項１０】
前記弾性部材は、前記板ばねの形状に対応した形状を有する第２の板ばねである請求項９に記載のヘッドホン。
【発明の詳細な説明】
【技術分野】
【０００１】
本発明は、ヘッドホンに関する。
【背景技術】
【０００２】
一般に、ヘッドホンは、音源ユニットがそれぞれ搭載された左右一対の筐体（ハウジング）の外側をヘッドバンドと呼ばれる板ばね内蔵の支持部材で結合し、かかるハウジングをユーザの両耳に挟み込むようにして保持させる構造となっている。
【０００３】
ヘッドホン使用時には、ヘッドホンを人体頭部に固定するために、ユーザの両耳近傍の頭部に「側圧」と呼ばれる力が加えられる。ヘッドホンの側圧は、一対のハウジングに設けられたイヤーパッドを圧縮する方向に働く力であり、ＪＥＩＴＡ ＲＣ−８１４１Ｂでは、左右イヤーパッド間に生じる力を測定することで側圧を測定する旨が規定されている。この側圧は、主に、ヘッドバンドに内蔵された板ばねの弾性力によって発生する。したがって、板ばねの弾性力が強い場合には、ヘッドホンを長時間使用していると、側圧によって頭部に痛みが生じる。
【０００４】
ヘッドホンの側圧を調整したい場合、例えばヘッドバンドの板ばねを塑性変形させる方法でも、ある程度の調整は可能である。しかしながら、このような方法では、側圧の微妙な調整を行うことは困難である。また、板ばねを一旦塑性変形させると元の湾曲状態に戻すことが困難になり、さらには板ばねを劣化ないし破損させる虞もある。
【０００５】
他方、ヘッドホンの側圧を変えることで、ユーザの耳から音源部までの距離も変化し、この場合、ヘッドホンの周波数応答特性などの音響特性も変化することになる。したがって、側圧を微調整する機構を設けることにより、音響特性をユーザの好みに合わせて微調整できるヘッドホンが実現されることになる。このような観点から、ヘッドホンにおいて側圧を微調整する機構の必要性ないし潜在的な需要は大きいものと考えられる。
【０００６】
側圧を変更可能とするヘッドホンとして、例えば以下のような発明が知られている。
【０００７】
特許文献１のヘッドホンは、形状記憶合金からなる円弧状のスタビライザーをヘッドバンドの近傍に装着し、かかるスタビライザーを交換することで側圧を変更できるようにしている。
【０００８】
特許文献２のヘッドホンは、ヘッドバンドの内側にヘッドホルダーを設け、使用時にヘッドホルダーの接触部がユーザの頭部に接触することで、ヘッドホンにかかる側圧を分散している。
【先行技術文献】
【特許文献】
【０００９】
【特許文献１】特開２００９−２９０６２１号公報
【特許文献２】特開２０１１−１１４５１２号公報
【発明の概要】
【発明が解決しようとする課題】
【００１０】
特許文献１のヘッドホンでは、側圧を微調整するために形状等の異なる複数のスタビライザーを用意する必要がある。また、特許文献２のヘッドホンでは、ユーザの頭部にヘッドホルダーを接触させて側圧を分散させる方式であり、側圧を微調整する機構は設けられていない。
【００１１】
本発明は、部品の交換を伴わずに側圧の微調整を可能としたヘッドホンを提供することを目的とする。
【課題を解決するための手段】
【００１２】
本発明に係るヘッドホンは、使用者の頭部に対応して湾曲する形状を有する板ばねと、前記板ばねの両端側にそれぞれ設けられ音源ユニットを収納する一対のハウジングと、各ハウジングに取付けられたイヤーパッドと、前記板ばねの外側に配置され前記板ばねの両端の距離を調整するための調整用部材と、前記板ばねの外側に配置され前記板ばねに対する前記調整用部材の位置を調整する位置調整機構と、を備えることを最も主要な特徴とする。
【発明の効果】
【００１３】
本発明によれば、部品交換することなく側圧を微調整できるヘッドホンを提供することができる。
【図面の簡単な説明】
【００１４】
【図１】本発明の第１の実施形態によるヘッドホンの構成を示す正面図である。
【図２】ヘッドホンから板ばねと側圧調整用ばねを取り外した状態を示す正面図である。
【図３】図１のアジャスタ部の構成を説明するための拡大断面図である。
【図４】図１の取付部材を示す拡大平面図である。
【図５】本発明の第２の実施形態によるヘッドホンの構成を示す正面図である。
【図６】図５のアジャスタ部の構成を説明するための拡大断面図である。
【図７】側圧調整用部材を引っ張りコイルばねとした場合のスペーサの形状を説明する側面図である。
【発明を実施するための形態】
【００１５】
以下、本発明の実施形態によるヘッドホンを、図面を参照して説明する。
【００１６】
（第１実施形態）
図１に示す第１の実施形態のヘッドホン１は、一対のイヤーパッドでユーザの耳全体を覆うオーバーヘッド型のヘッドホンである。このヘッドホン１は、ハウジング２、ハウジング２に装着されるリング状のイヤーパッド３、ハウジング２を回動可能に支持するハンガー４、ハンガー４を支持する支持部材５をそれぞれ一対備える。また、ヘッドホン１は、側圧を微調整するためのアジャスタ部７を一対備える。これら各部は、使用者の頭部に掛け渡されるヘッドバンド６の両端側に配置される。
【００１７】
上記の一対の各部品は相互に同等の構成であるため、以下は特記しない限り、片方（図１の左側）の構成についてのみ説明する。なお、図１では、ハウジングを支持する部位が幾分模式的に描かれており、信号コードなどの本発明に直接関係しない部分の図示は省略されている。  
【００１８】
ハウジング２は、カップ状に形成され、音源ユニットすなわち電気音響変換器としてのスピーカを内部に収納する。ハウジング２において、スピーカからの音声が出力される放音側には、フランジ部２１が形成されている。ハウジング２には、後述するハンガー４により回転可能に支持されるための軸受孔２２が前後に一対形成されている。
【００１９】
イヤーパッド３は、略リング状の外形を備えた弾性体であり、ハウジング２のフランジ部２１に装着されている。イヤーパッド３は、ユーザの耳を覆うことができる外形および厚みを有し、この例では上下すなわち縦方向の径が大きい長円のリング状をなしている。
【００２０】
ハンガー４は、後述する支持部材５に取付けられる基部４１と、かかる基部４１から二股状に分岐したアーム部４２とを有する。例えば、ハウジング２を支持するアーム部４２の先端側が「Ｌ」字状に屈曲し、かかる先端部がハウジング２の軸受孔２２にそれぞれ挿入されることで、アーム部４２はハウジング２を図１の矢印ＡＢ方向に回転可能に支持する。
【００２１】
ヘッドバンド６は、ユーザの頭部に対応したアーチ状ないし円弧状の形状を有する。かかるヘッドバンド６は、板ばね６０を主要部材として備える。
【００２２】
板ばね６０は、使用者の頭部に対応して湾曲する形状とされ、アーチ状の外形を有する弾性体である。以下、板ばね６０のユーザの頭部に対峙する面側を内側と称し、その反対面側を外側と称する。図１に示すように、板ばね６０の内側の端部は支持部材５と結合される。板ばね６０の外側の端部は、後述するアジャスタ部７の固定部材７１と結合される。
【００２３】
図１では、簡明化のため、ハンガー４の基部４１が支持部材５に対して固定された例を示している。他の例として、使用時のヘッドバンド６とユーザの頭部との間隔を調整するため、ハンガー４の基部４１が支持部材５に対して相対移動可能な接続構造とすることもできる。
【００２４】
本実施形態のヘッドホン１は、装着時に板ばね６０により発生する側圧を調整するための側圧調整機構を有する。以下、側圧調整機構について詳述する。
【００２５】
ヘッドホン１は、側圧調整機構として、板ばね６０の外側に設けられる側圧調整用部材６１と、板ばね６０と側圧調整用部材６１との間に配置されるスペーサ６２と、板ばね６０に対する側圧調整用部材６１の位置を調整するためのアジャスタ部７とを備える。
【００２６】
側圧調整用部材６１は、板ばね６０の両端の距離を調整することにより側圧を微調整するための部材である。側圧調整用部材６１は、本実施形態では弾性体であり、この例では板ばねを用いている。以下、かかる板ばねと、ヘッドバンド６の主要部である上述の板ばね６０とを区別するため、「側圧調整用部材」を「側圧調整用ばね」とも称する。図２に、ヘッドホン１から取り外した状態の板ばね６０と側圧調整用ばね６１を並べて示す。図２から分かるように、板ばね６０及び側圧調整用ばね６１は、どちらもアーチ状に湾曲しているが、側圧調整用ばね６１は板ばね６０よりも湾曲度が小さい。したがって、側圧調整用ばね６１は、ヘッドホン１に取り付けられることにより、板ばね６０の両端部間の距離（図２のＷ0）を大きくする機能、及び、板ばね６０の弾性力を弱める機能を有する。
【００２７】
側圧調整用ばね６１の長尺方向の長さ（図２のＬ1）は、板ばね６０の長尺方向の長さと略同一である。但し、かかる構成に制限されるものではなく、例えば側圧調整用ばね６１の方が長い構成、あるいはこの逆の構成とすることもできる。側圧調整用ばね６１の上記長さと直交する幅及び厚みも板ばね６０と同一であるが、同様に、かかる構成に制限されない。
【００２８】
板ばね６０と側圧調整用ばね６１との間には、スペーサ６２が配置される。本実施形態のスペーサ６２は半球状の部材であり、その平面部が板ばね６０の外側の面に取り付けられている。スペーサ６２は、例えば合成樹脂材からなり、板ばね６０の外側の面に複数個（この例では９個）接着されて板ばね６０に固定されている。図の例では、スペーサ６２は９個配置されているが、スペーサ６２の配置数は任意である。
【００２９】
このように、板ばね６０と側圧調整用ばね６１との間にスペーサ６２が介在することにより、これら各ばね６０，６１が接触、干渉して異音（ノイズ）を発生するなどの問題を防ぐことができる。また、本実施形態では、スペーサ６２の形状を半球状としており、側圧調整用ばね６１がスペーサ６２の球面に当接するので、後述の側圧調整時において側圧調整用ばね６１がスペーサ６２に対して滑らかにスライド移動する。
【００３０】
かくして、板ばね６０の外側にスペーサ６２を介して側圧調整用ばね６１を配置して各ばね６０，６１をヘッドホンに一体に取り付けることで、側圧調整用ばね６１の弾性力により板ばね６０の両端を外側に広げようとする力が働く。すなわち、側圧調整用ばね６１が取り付けられていない状態では、板ばね６０の両端部間の距離は、図２に示すようにＷ0である。これに対して、スペーサ６２及び側圧調整用ばね６１が取り付けられると、板ばね６０の両端部間の距離は、側圧調整用ばね６１の弾性力によってＷ1に広げられ、各ばね６０，６１の弾性力が釣り合った値となる。
【００３１】
なお、意匠的観点から、ヘッドバンド６として、各ばね６０，６１を外装材で覆う構成としてもよい。
【００３２】
次に、図３及び図４を参照して、側圧および板ばね６０の両端部間の距離（Ｗ）を調整するためのアジャスタ部７の構成を説明する。
【００３３】
アジャスタ部７は、板ばね６０の外側に配置され板ばね６０に対する側圧調整用ばね６１の位置を調整する位置調整機構である。本実施形態では、アジャスタ部７は、板ばね６０に結合される固定部材７１と、ユーザにより操作される回転部材７２と、側圧調整用ばね６１に結合される取付部材７３とを有する。
【００３４】
固定部材７１は、半円柱状すなわち円柱を軸方向に切り欠いた外形を有する。平面視での固定部材７１の中央部には、ねじ孔７１１が形成されている。固定部材７１は、平面をなす側面部の上側が板ばね６０の外側面に固着され、側面部の下側が上述の支持部材５に固着されている。
【００３５】
回転部材７２は、ツマミ付きねじの先端にフランジ部を設けた構成となっている。すなわち、回転部材７２は、固定部材７１のねじ孔７１１と螺合するねじ溝が形成されたねじ部７２１を有する。図示のように、ねじ部７２１の長さは、固定部材７１のねじ孔７１１の長手方向のサイズよりも長い。回転部材７２の一端側すなわち下端には、ユーザが回転操作する操作部としてのツマミ７２２が形成されている。この実施形態において、ツマミ７２２は平面円形の形状を有し、その側面に溝が設けられている。ツマミ７２２の他の形状として、例えば平面多角形状としたり、棒状の形状とすることもできる。
【００３６】
ツマミ７２２が回転操作されることによって、ねじ部７２１は一体に回転する。そのため、かかる構成を有する回転部材７２は、固定部材７１に対して相対移動する。すなわち、ねじ部７２１が回転することにより、ねじ部７２１は該回転方向と直交する方向である上下方向に移動する。
【００３７】
回転部材７２の他端側すなわち上端部は、後述の取付部材７３に相対回転自在に結合される。取付部材７３から抜けないようにするため、回転部材７２の上端にはフランジ部７２３が設けられている。かかるフランジ部７２３は、例えばナットをねじ込んでねじ部７２１に溶接したり、合成樹脂などのリング状の部材をねじ込んで接着するなどにより、ねじ部７２１の先端に設けることができる。
【００３８】
取付部材７３は、図４に示すように、略カップ状であり、その中央に回転部材７２のねじ部７２１が挿入される孔７３１が形成されている。また、取付部材７３は、側圧調整用ばね６１の端部６１１に結合される溝７３２を備えている。
【００３９】
本実施形態では、ツマミ７２２の時計方向への回転よって、ねじ部７２１は固定部材７１に進入し、取付部材７３は上昇する。逆に、ツマミ７２２の反時計方向への回転によって、取付部材７３は下降する。
【００４０】
かかる構成のアジャスタ部７でヘッドホンの側圧を調整する場合、以下のような操作が行われる。
【００４１】
ヘッドホンの側圧を弱くしたい場合、各ばね６０，６１との相対関係において、板ばね６０の弾性力が弱められる或いは側圧調整用ばね６１の弾性力が強められるように側圧調整用ばね６１を移動させる方向にツマミ７２２が回転させられる。
【００４２】
具体的には、側圧を弱くしたい場合、ツマミ７２２は反時計方向に回転させられる。かかる操作により、取付部材７３とともに側圧調整用ばね６１の端部が下降し、側圧調整用ばね６１の変形度が大きくなる。かかる動作により、側圧調整用ばね６１の弾性力が相対的に強められ、図５に示す板ばね６０の両端部間の距離Ｗ1の値が大きくなる。板ばね６０の両端部間の距離が大きくなると、一対のハウジング２，２間の距離も大きくなるので、ヘッドホン装着時にイヤーパッド３を通じてユーザの頭部にかかる側圧が低くなる。すなわち、ユーザの耳から音源ユニット（スピーカ）までの距離も大きくなる。
【００４３】
他方、ヘッドホンの側圧を強くしたい場合、各ばね６０，６１との相対関係において、板ばね６０の弾性力が強められる或いは側圧調整用ばね６１の弾性力が弱められるように側圧調整用ばね６１を移動させる方向にツマミ７２２が回転させられる。
【００４４】
具体的には、側圧を強くしたい場合、ツマミ７２２は時計方向に回転させられる。かかる操作により、取付部材７３とともに側圧調整用ばね６１の端部が上昇する。かかる動作により、板ばね６０の弾性力が相対的に強められ、図５に示す板ばね６０の両端部間の距離Ｗ1の値が小さくなる。板ばね６０の両端部間の距離が小さくなると、一対のハウジング２，２間の距離も小さくなるので、ヘッドホン装着時にイヤーパッド３を通じてユーザの頭部にかかる側圧が高くなる。すなわち、ユーザの耳から音源ユニット（スピーカ）までの距離も小さくなる。
【００４５】
このように、本実施形態のヘッドホン１によれば、板ばね６０の両端部間ひいてはハウジング２，２間の距離が調整可能になる。そのため、装着時の側圧をユーザが自ら微調整でき、装着時の苦痛や長時間の装着による頭部の痛みの発生を防止ないし軽減することができる。また、かかる調整によって、イヤーパッド３による密閉が適切な状態になり、音響特性も適切な状態になる。さらには、かかる調整によって、ヘッドホン１の周波数応答特性などの音響特性をユーザの好みに応じて微調整することが可能になる。
【００４６】
また、本実施形態のヘッドホンでは、部品の交換を伴わずに側圧が微調整できるので、部品管理の手間や部品紛失などの問題が発生しない。さらに、側圧を調整するための各部品が板ばね６０の外側に設けられているので、調整作業が容易であり、ヘッドホン装着中に側圧調整のための各部品がユーザに接触することもない。
【００４７】
なお、上述した図１の例では、アジャスタ部７を左右両側に設ける構成としたが、アジャスタ部７を左右のいずれか一方だけに設ける構成としてもよい。
【００４８】
（第２実施形態）
本発明を適用したヘッドホンの第２の実施形態を図５及び図６を参照して説明する。以下、上述した第１の実施形態と同一の箇所には同一符号を付し、その説明を省略する。
【００４９】
図５に示すように、第２の実施形態のヘッドホン１Ａは、図１のヘッドホン１と比較して分かるように、ヘッドバンド６の長手方向中央に追加のアジャスタ部８を備えている。以下、上述したアジャスタ部７と明確に区別するために、アジャスタ部８を「第２アジャスタ部８」と称する。
【００５０】
第２アジャスタ部８は、図６に示すように、板ばね６０に結合される固定部材８１と、ユーザにより操作される回転部材８２とを有する。
【００５１】
固定部材８１は、円柱状の外形を有し、その底面は板ばね６０の外側面に固着されている。平面視での固定部材８１の中央部にねじ孔８１１が形成されている。
【００５２】
回転部材８２は、ツマミ付きねじの中間部にフランジ部を設けた構成となっている。すなわち、回転部材８２は、固定部材８１のねじ孔８１１と螺合するねじ溝が形成されたねじ部８２１を有し、ねじ部８２１の基端側にはユーザが回転操作するためのツマミ８２２が形成されている。ツマミ８２２は、平面円形の形状を有し、その側面には溝が設けられている。ツマミ８２２の他の形状として、例えば平面多角形状としたり、棒状の形状とすることもできる。
【００５３】
ねじ部８２１は、側圧調整用ばね６１に設けられた孔６１２に通されることで、側圧調整用ばね６１に相対回転自在に結合される。側圧調整用ばね６１の位置を変位させるため、ねじ部８２１の中間部にはフランジ部８２３が設けられている。ねじ部８２１の先端からフランジ部８２３までの長さは、固定部材８１のねじ孔８１１の深さと略同一となっている。かかるフランジ部８２３は、例えば、側圧調整用ばね６１の孔６１２にねじ部８２１を通した後でナットをねじ込んでねじ部８２１に溶接したり、合成樹脂などのリング状の部材をねじ込んで接着するなどにより、ねじ部８２１に設けることができる。フランジ部８２３の上面は、側圧調整用ばね６１の弾性力によって、側圧調整用ばね６１の下面に当接する。
【００５４】
かかる構成の第２アジャスタ部８でヘッドホンの側圧を調整する場合、以下のような操作が行われる。
【００５５】
ヘッドホンの側圧を弱くしたい場合、各ばね６０，６１との相対関係において、板ばね６０の弾性力が弱められる或いは側圧調整用ばね６１の弾性力が強められるように側圧調整用ばね６１を移動させる方向にツマミ８２２が回転させられる。
【００５６】
具体的には、側圧を弱くしたい場合、ツマミ８２２を反時計方向に回転させる操作が行われる。かかる操作により、回転部材８２とともに、フランジ部８２３の上面に当接している側圧調整用ばね６１が上昇する。かかる動作により、側圧調整用ばね６１の両端部に板ばね６０の両端を外側に広げる力が発生し、板ばね６０の弾性力が相対的に弱められるので、板ばね６０の両端部間の距離（図５のＷ1）が広がる。
【００５７】
他方、側圧を強くしたい場合、ツマミ８２２を時計方向に回転させる操作が行われる。かかる操作により、回転部材８２とともに側圧調整用ばね６１の中央部が下降する。かかる動作により、側圧調整用ばね６１の弾性力が弱められ、板ばね６０の弾性力が相対的に強められるので、板ばね６０の両端部間の距離（図５のＷ1）が狭くなる。
【００５８】
第２の実施形態の第２アジャスタ部８によれば、第１の実施形態と同様に、板ばね６０の両端部間ひいてはハウジング２，２間の距離を調整できる。そのため、装着時の側圧をユーザが自ら微調整でき、装着時の苦痛や長時間の装着による頭部の痛みの発生を防止ないし軽減することができる。また、かかる調整によって、イヤーパッド３による密閉が適切な状態になり、音響特性も適切な状態になる。さらには、かかる調整によって、ヘッドホン１の感度及び周波数応答特性をユーザの好みに応じて微調整することができる。
【００５９】
また、第２の実施形態のヘッドホンも、部品の交換を伴わずに側圧を微調整できるので、部品管理の手間や部品紛失などの問題が発生しない。さらに、側圧を調整するための各部品が板ばね６０の外側に設けられているので、調整作業が容易であり、ヘッドホン装着中に側圧調整のための各部品がユーザに接触することもない。
【００６０】
なお、上述した図５の例では、一対のアジャスタ部７及び第２アジャスタ部８を設ける構成とした。これに対し、アジャスタ部７を設けない構成としてもよい。アジャスタ部７を設けない場合には、側圧調整用ばね６１の内面の端部を板ばね６０の外面の端部に対して固定する構成とすればよい。
【００６１】
（側圧調整用部材の変形例）
上述の各実施形態では、側圧調整用部材として、板ばね６０の形状に対応した形状を有する板ばね（第２の板ばね）を用いた。側圧調整用部材としては他にも種々の部材を用いることができる。例えば、側圧調整用部材として、コイルばねやゴム材など、部材の長さが伸縮する各種の弾性部材を用いることができる。さらには、側圧調整用部材として、例えばワイヤーなどの部材を用いることもできる。
【００６２】
側圧調整用部材として板ばね以外の部材を用いる場合、かかる部材の形状に応じてスペーサ６２の形状を適宜変更することが好ましい。第１実施形態の変形例として、側圧調整用部材として引っ張りコイルばねを用いた場合を図７に示す。図７に示すスペーサ６２Ａは、引っ張りコイルばね６１Ａの外形形状に対応した円弧状の凹面６２１を有する。
【００６３】
側圧調整用部材として引っ張りコイルばね６１Ａを用いる場合、引っ張りコイルばね６１Ａの端部を取付部材７３の溝７３２に取り付け、引っ張りコイルばね６１Ａを適度に伸ばす即ち変形させた状態で使用する。すなわち、引っ張りコイルばね６１Ａが取り付けられると、板ばね６０の両端部間の距離は、引っ張りコイルばね６１Ａの弾性力によってＷ1に広げられ（図１参照）、各ばね６０，６１Ａの弾性力が釣り合った値となる。また、ヘッドホンの側圧を調整する場合、以下のように操作する。
【００６４】
ヘッドホンの側圧を弱くしたい場合、各ばね６０，６１との相対関係において、板ばね６０の弾性力が弱められる或いは引っ張りコイルばね６１Ａの弾性力が強められるように側圧調整用ばね６１を移動させる方向にツマミ７２２が回転させられる。
【００６５】
具体的には、側圧を弱くしたい場合、ツマミ７２２を反時計方向に回転させる操作が行われる。かかる操作により、取付部材７３とともに引っ張りコイルばね６１Ａの端部が下降し、引っ張りコイルばね６１Ａの変形度が大きくなる。かかる動作により、引っ張りコイルばね６１Ａの弾性力が強められ、板ばね６０の両端部間の距離が広くなる。
【００６６】
他方、ヘッドホンの側圧を強くしたい場合、各ばね６０，６１との相対関係において、板ばね６０の弾性力が強められる或いは側圧調整用ばね６１の弾性力が弱められるように側圧調整用ばね６１を移動させる方向にツマミ７２２が回転させられる。
【００６７】
具体的には、側圧を強くしたい場合、ツマミ７２２を時計方向に回転させる操作が行われる。かかる操作により、取付部材７３とともに引っ張りコイルばね６１Ａの端部が上昇する。かかる動作により、引っ張りコイルばね６１Ａの弾性力が弱くなり、板ばね６０の弾性力が相対的に強められ、図５に示す板ばね６０の両端部間の距離が狭くなる。
【００６８】
以上説明したように、本発明によれば、部品の交換を伴わずに側圧の微調整を可能としたヘッドホンを提供することが可能となる。
【００６９】
本発明のヘッドホンは、特許請求の範囲に記載した技術思想を逸脱しない範囲で設計変更可能である。例えば、スペーサ６２の材質として、シリコンゴム等の弾性部材を用いることもできる。
【符号の説明】
【００７０】
１，１Ａ  ヘッドホン
２  ハウジング
３  イヤーパッド
４  ハンガー
６  ヘッドバンド
６０  板ばね
６１  側圧調整用部材
６１１  端部
６１２  孔
６２  スペーサ
７  アジャスタ部（位置調整機構）
８  第２アジャスタ部
７１，８１  固定部材
７１１，８１１ ねじ孔
７２，８２  回転部材（操作用部材）
７２１，８２１ ねじ部
７２２，８２２  ツマミ（操作部）
７２３，８２３  フランジ部
７３  取付部材
７３１  孔
【図１】
2017098869.tif 000003
【図２】
2017098869.tif 000004
【図３】
2017098869.tif 000005
【図４】
2017098869.tif 000006
【図５】
2017098869.tif 000007
【図６】
2017098869.tif 000008
【図７】
2017098869.tif 000009